(57)【特許請求の範囲】
【請求項１】
パイプ支柱（P）に沿って開口部巾狭のシート支持フレーム（Q）を配設し、パイプ支柱（P）上にシート支持フレーム（Q）を継手（２０）を介して結合する締結装置において、上記継手（２０）は挾持フレーム（２１）と楔（２６）とからなり、上記挾持フレーム（２１）は相対向する一対の挾持片（２７）（２７）と、各挾持片（２７）（２７）の上端を連結する支持片（２８）と、各挾持片（２７）（２７）に相対向して形成した楔挿入孔（２９）（２９）と、各挾持片（２１）（２１）の上端に互い違いに起立させて設けた引掛片（３０）（３０）とで構成させ、パイプ支柱（P）の両サイドに各挾持片（２１）（２１）を差し込み、各楔挿入孔（２９）（２９）に打ち込んだ上記楔（２６）と上記支持片（２８）とで上記パイプ支柱（P）の上下部を挾持し、上記シート支持フレーム（Ｑ）を上記挾持フレーム（２１）上に斜め方向から一方の引掛片（３０）を支点にしながら挿入し、次いでこのシート支持フレーム（Ｑ）がある位置まで差し込まれた時当該シート支持フレーム（Ｑ）を上記一方の引掛片（３０）を支点にして回転させてパイプ支柱（Ｐ）の上側に沿う位置まで移動させ、さらに上記一対の引掛片（３０）（３０）でシート支持フレーム（２１）の側壁（２２）を係止させることを特徴とする締結装置。
【請求項２】
パイプ支柱（P）に沿って開口部巾狭のシート支持フレーム（Q）を配設し、パイプ支柱（P）上にシート支持フレーム（Q）を継手（２０）を介して結合する締結装置において、上記継手（２０）は挾持フレーム（２１）と楔（２６）とからなり、上記挾持フレーム（２１）は相対向する一対の挾持片（２７）（２７）と、各挾持片（２７）（２７）の上端を連結する支持片（２８）と、各挾持片（２７）（２７）に相対向して形成した楔挿入孔（２９）（２９）と、各挾持片（２１）（２１）の上端に互い違いに起立させて設けた引掛片（３０）（３０）とで構成させ、上記シート支持フレーム（Ｑ）を上記挾持フレーム（２１）上に斜め方向から一方の引掛片（３０）を支点にしながら挿入し、次いでこのシート支持フレーム（Ｑ）がある位置まで差し込まれた時当該シート支持フレーム（Ｑ）を上記一方の引掛片（３０）を支点にして回転させて上記一対の引掛片（３０）（３０）でシート支持フレーム（２１）の側壁（２２）を係止させ、この状態で上記パイプ支柱（P）の両サイドに各挾持片（２１）（２１）を差し込み、各楔挿入孔（２９）（２９）に打ち込んだ上記楔（２６）と上記支持片（２８）とで上記パイプ支柱（P）の上下部を挾持して上記楔を固定させることを特徴とする締結装置。
【発明の詳細な説明】
【発明が属する技術分野】
本発明は、透明な合成樹脂シートを展張した温室において、シートを定着するシート支持フレームをパイプ支柱に結合させるのに適する継手と、この継手を利用締結装置に関する。
【０００１】
【従来の技術】
一般に、動物，植物の育成する温室として、地上に多数のアーチ状のパイプ支柱を起立し、このパイプ支柱に対して直交するシート支持フレームと、パイプ支柱上に沿って配置した他のシート支持フレームとが継手を介して締結され、これらのシート支持フレームに透明なシートを定着させることにより屋根面，側面全体にシートが展張されたものが使用されている。
【０００２】
この場合、パイプ支柱上に沿って開口部巾狭のシート支持フレームを配設し、両者を継手を介して締結する方法として例えば図５，図６に示す継手を使用したものが開発されている。
【０００３】
図５に示す継手１は一対の挾持フレーム２，２と、挾持フレーム２，２を締め付けるボルト３とナット４とからなっている。挾持フレーム２は本体５と、本体５の下部に設けた弯曲したパイプ抱持部６と、本体５の上部に設けた引掛片７ａ，７ｂと、本体５の中間上方に穿設したボルト挿入孔８とからなるものである。この継手１はパイプ支柱Ｐを両サイドからパイプ抱持部６，６で抱持し、更にパイプ支柱Ｐ上に沿って配置した開口部巾狭のシート支持フレームＱの湾曲した両側壁外面を引掛片７ａ，７ｂで係止し、この状態で各挾持フレーム２，２をボルト３とナット４とを介して締め付けるものである。これにより継手１を介してパイプ支柱Ｐに沿ってシート支持フレームＱが締結される。
【０００４】
図６に示す継手１０はＶ字状の底部１１を介して連設した相対向する一対の挾持片１２，１２と、底部１１に螺合したボルト３とからなり、各挾持片１２の上部には内側に屈曲したフック１３に設けられているものである。
【０００５】
この継手１０を利用した締結装置によれば、パイプ支柱Ｐ上に沿って開口部巾狭のシート支持フレームＱを配設し、この状態でパイプ支柱Ｐの両サイドに下方から各挾持片１２を差し込み、フック１３をシート支持フレームＱの上端に引掛け、次いでボルト３をねじ込むことによってパイプ支柱Ｐとシート支持フレームＱとがボルト１３とフツク３とで挾持され、これによってパイプ支柱Ｐ上にシート支持フレームＱが当接して結合される。
【０００６】
【発明が解決しようとする課題】
上記図５，図６に示す継手を利用した締結装置によれば、それぞれパイプ支柱Ｐに沿ってシート支持フレームＱが結合されているので、シート支持フレームＱがしっかりと固定できこれにより支持フレームＱの蟻溝Ｒ内に透明なシートが弾性な係止線条を介して定着できる。
【０００７】
しかしながら、図５に示す締結装置ではシート支持フレームＱが上方の引掛片７ａ，７ｂで支持され且つシート支持フレームＱの下方にボルト３が挿通されていることによってパイプ支柱Ｐの上面とシート支持フレームＱの下面との間には隙間ができてしまう。この為シート支持フレームＱはパイプ支柱Ｐによって支えられておらず浮いた状態となっているのでシート支持フレームＱに風圧，振動，その他の外力による負荷がかかると途中で曲ったり、折れたりする不具合があり、その結果、展張したシートが破損し、これらの交換をしなければならないという不具合がある。
【０００８】
又、図６の締結装置ではシート支持フレームＱがパイプ支柱Ｐに沿ってこれに支えられているので図５の締結装置のようにシート支持フレームＱが折れるような不具合が無い反面、フック１３がシート支持フレームＱの上部に引掛けられているので、このシート支持フレームＱに定着したシートが風圧等の外力を受けて振動したり、ばた付いた場合に、このシートがフック１３でこすられ破断してしまう不具合がある。
【０００９】
そこで、本発明の目的は、シート支持フレームが曲ったり、折れたりせず、シートがこすれて破断するのを防止できる継手及び継手を利用した締結装置を提供することである。
【００１０】
【課題を解決するための手段】
上記の目的を達成するため、本発明に係わる締結装置の一つの手段は、パイプ支柱に沿って開口部巾狭のシート支持フレームを配設し、パイプ支柱上にシート支持フレームを継手を介して結合する締結装置において、上記継手は挾持フレームと楔とからなり、上記挾持フレームは相対向する一対の挾持片と、各挾持片の上端を連結する支持片と、各挾持片に相対向して形成した楔挿入孔と、各挾持片の上端に互い違いに起立させて設けた引掛片とで構成させ、パイプ支柱の両サイドに各挾持片を差し込み、各楔挿入孔に打ち込んだ上記楔と上記支持片とで上記パイプ支柱の上下部を挾持し、上記シート支持フレームを上記挾持フレーム上に斜め方向から一方の引掛片を支点にしながら挿入し、次いでこのシート支持フレームがある位置まで差し込まれた時当該シート支持フレームを上記一方の引掛片を支点にして回転させてパイプ支柱の上側に沿う位置まで移動させ、さらに上記一対の引掛片でシート支持フレームの側壁を係止させることを特徴とするものである。
【００１１】
同じく、他の手段は、パイプ支柱（P）に沿って開口部巾狭のシート支持フレーム（Q）を配設し、パイプ支柱（P）上にシート支持フレーム（Q）を継手（２０）を介して結合する締結装置において、上記継手（２０）は挾持フレーム（２１）と楔（２６）とからなり、上記挾持フレーム（２１）は相対向する一対の挾持片（２７）（２７）と、各挾持片（２７）（２７）の上端を連結する支持片（２８）と、各挾持片（２７）（２７）に相対向して形成した楔挿入孔（２９）（２９）と、各挾持片（２１）（２１）の上端に互い違いに起立させて設けた引掛片（３０）（３０）とで構成させ、上記シート支持フレーム（Ｑ）を上記挾持フレーム（２１）上に斜め方向から一方の引掛片（３０）を支点にしながら挿入し、次いでこのシート支持フレーム（Ｑ）がある位置まで差し込まれた時当該シート支持フレーム（Ｑ）を上記一方の引掛片（３０）を支点にして回転させて上記一対の引掛片（３０）（３０）でシート支持フレーム（２１）の側壁（２２）を係止させ、この状態で上記パイプ支柱（P）の両サイドに各挾持片（２１）（２１）を差し込み、各楔挿入孔（２９）（２９）に打ち込んだ上記楔（２６）と上記支持片（２８）とで上記パイプ支柱（P）の上下部を挾持して上記楔を固定させることを特徴とするものである。
【００１３】
【発明の実施の形態】
以下、本発明の実施の形態を図１乃至図４にもとづいて説明する。
この実施の形態に係わる締結装置は、パイプ支柱（P）に沿って開口部巾狭のシート支持フレーム（Q）を配設し、パイプ支柱（P）上にシート支持フレーム（Q）を継手（２０）を介して結合するものである。
そして、上記継手（２０）は挾持フレーム（２１）と楔（２６）とからなり、上記挾持フレーム（２１）は相対向する一対の挾持片（２７）（２７）と、各挾持片（２７）（２７）の上端を連結する支持片（２８）と、各挾持片（２７）（２７）に相対向して形成した楔挿入孔（２９）（２９）と、各挾持片（２１）（２１）の上端に互い違いに起立させて設けた引掛片（３０）（３０）とで構成させ、パイプ支柱（P）の両サイドに各挾持片（２１）（２１）を差し込み、各楔挿入孔（２９）（２９）に打ち込んだ上記楔（２６）と上記支持片（２８）とで上記パイプ支柱（P）の上下部を挾持し、上記シート支持フレーム（Ｑ）を上記挾持フレーム（２１）上に斜め方向から一方の引掛片（３０）を支点にしながら挿入し、次いでこのシート支持フレーム（Ｑ）がある位置まで差し込まれた時当該シート支持フレーム（Ｑ）を上記一方の引掛片（３０）を支点にして回転させてパイプ支柱（Ｐ）の上側に沿う位置まで移動させ、さらに上記一対の引掛片（３０）（３０）でシート支持フレーム（２１）の側壁（２２）を係止させる。
以下更に詳しく説明する。
【００１４】
本発明に係る継手２０は、例えば図４に示す温室たるパイプハウスＡにおけるパイプ支柱Ｐと、このパイプ支柱Ｐ上に沿って配置した開口巾狭のシート支持フレームＱの結合に使用するものである。
【００１５】
即ち、パイプハウスＡは地上に多数のアーチ状のパイプ支柱Ｐを起立し、このパイプ支柱Ｐに沿ってシート支持フレームＱを配置すると共に横方向にも他のシート支持フレームＳを架設し、各シート支持フレームＱに係止線条を介して合成樹脂製の透明なシートＴを定着させ、屋根面や側面全域にシートＴを展張させている。
【００１６】
パイプ支柱Ｐに対してこれに沿うように配置したシート支持フレームＱは図１乃至図３に示すように継手２０を介して結合される。
【００１７】
シート支持フレームＱは例えば、公知のように、水平な底部２１と、底部２１の両側に起立する弯曲した側壁２２と垂直な側壁２３と、側壁２３の上端から内側に水平に延設した引掛片２４とからなり、側壁２２と底部２１との間に蟻溝２５を備えたものである。
【００１８】
シートＴを定着する場合、このシートＴを公知のように、シート支持フレームＱ内に挿入し、弾性な係止線条でこのシートＴを側壁２２内周に押圧する。
【００１９】
次に本発明に係る継手と、これを利用した締結装置を詳細に説明する。
【００２０】
継手２０は図２に示すように、挾持フレーム２１と楔２６とからなり、挾持フレーム２１は相対向する一対の挾持片２７、２７と、各挾持片２７、２７の上端を連結する支持片２８と、各挾持片に相対向して形成した楔挿入孔２９と、各挾持片２７の上端に互い違いに起立させて設けた引掛片３０、３０とで構成されている。
【００２１】
この場合、支持片２８が各挾持片２１，２１の上端中央に架設され、引掛片３０，３０が各挾持片２１，２１の上端端部に対角線上に起立し、フック状に内側に向けて弯曲している。
【００２２】
楔２６は本体２６ａと、本体２６ａの両側に起立するガイド部２６ｂと、ガイド部２６ｂの上面に形成したテーパ面２６ｃと、本体２６ａの端に設けたストッパ２６ｄとで構成されている。
【００２３】
パイプ支柱Ｐに対してシート支持フレームＱを結合させる場合は次のように行なう。
【００２４】
パイプ支柱Ｐの両サイドに上方から挾持フレーム２１の挾持片２１，２１を差し込み、この状態で楔挿入孔２９に楔２６を打ち込む。これによりパイプ支柱Ｐは楔２６と挾持フレーム２１の支持片２８とで上下から挾持され、パイプ支柱Ｐに対して挾持フレーム２１が固定される。
【００２５】
次にシート支持フレームＱを挾持フレーム２１上に斜め方向から一方の引掛片３０を支点にしながら挿入し、次いでこのシート支持フレームＱがある位置まで差し込まれた時当該シート支持フレームＱを上記引掛片３０を支点にして回転させてパイプ支柱Ｐの上側に沿う位置まで移動する。これによりシート支持フレームＱは底部２１が支持片２８に支持され、又、両側の引掛片３０，３０でシート支持フレーム２１の弯曲した側壁２２の外面が引掛けられ、シート支持フレームＱがパイプ支柱Ｐ上に当該パイプ支柱Ｐに沿って固定される。
【００２６】
上記の締結方法では継手２０を先にパイプ支柱Ｐに固定したが、継手２０を先にシート支持フレームＱに固定し、この状態で継手２０を後からパイプ支柱Ｐに固定しても良い。
この場合の実施の形態に係わる締結装置は、パイプ支柱（P）に沿って開口部巾狭のシート支持フレーム（Q）を配設し、パイプ支柱（P）上にシート支持フレーム（Q）を継手（２０）を介して結合する締結装置において、上記継手（２０）は挾持フレーム（２１）と楔（２６）とからなり、上記挾持フレーム（２１）は相対向する一対の挾持片（２７）（２７）と、各挾持片（２７）（２７）の上端を連結する支持片（２８）と、各挾持片（２７）（２７）に相対向して形成した楔挿入孔（２９）（２９）と、各挾持片（２１）（２１）の上端に互い違いに起立させて設けた引掛片（３０）（３０）とで構成させている。
そして、上記シート支持フレーム（Ｑ）を上記挾持フレーム（２１）上に斜め方向から一方の引掛片（３０）を支点にしながら挿入し、次いでこのシート支持フレーム（Ｑ）がある位置まで差し込まれた時当該シート支持フレーム（Ｑ）を上記一方の引掛片（３０）を支点にして回転させて上記一対の引掛片（３０）（３０）でシート支持フレーム（２１）の側壁（２２）を係止させ、この状態で上記パイプ支柱（P）の両サイドに各挾持片（２１）（２１）を差し込み、各楔挿入孔（２９）（２９）に打ち込んだ上記楔（２６）と上記支持片（２８）とで上記パイプ支柱（P）の上下部を挾持して上記楔（２０）を固定させる。
【００２７】
即ち、シート支持フレームＱが長い場合にはシート支持フレームＱを動かすのか困難であるからシート支持フレームＱに対して継手２０を斜め方向から差し込み、次いでこの継手２０をほぼ４５度回転して引掛片３０，３０をシート支持フレームＱに引掛ける。この状態で継手２０をパイプ支柱Ｐに差し込んで楔２６で固定するものである。
【００２８】
【発明の効果】
本発明によれば、次の効果がある。
【００２９】
(1) 各請求項の発明によれば、継手が中央に支持片を備えているので、この継手を介してシート支持フレームをパイプ支柱に結合した時シート支持フレームの底部がこの支持片で支えられているので、シート支持フレームに外部負荷が作用しても曲ったり、折れたりするのが防止される。
【００３０】
(2) 同じく、継手が引掛片を備えているので、この引掛片がシート支持フレームを保持し、しかもこの引掛片はシート支持フレームの側壁外面に引掛けられるからシート支持フレームに定着したシートとフックが干渉せず、シートがこすれて引掛片による破断の発生が防止される。
【図面の簡単な説明】
【図１】本発明の一実施の形態に係る継手とこの継手を利用した締結装置の斜視図である。
【図２】図１の分解斜視図である。
【図３】図１の縦断正面図である。
【図４】締結装置を利用した温室の一部切欠き斜視図である。
【図５】従来の継手とこれを利用した締結装置の斜視図である。
【図６】他の従来の継手とこれを利用した締結装置の斜視図である。
【符号の説明】
２１  挾持フレーム
２６  楔
２７  挾持片
２８  支持片
２９  楔挿入孔
３０  引掛片
Ｐ  パイプ支柱
Ｑ  シート支持フレーム
【図１】
0004617021.tif 000002
【図２】
0004617021.tif 000003
【図３】
0004617021.tif 000004
【図４】
0004617021.tif 000005
【図５】
0004617021.tif 000006
【図６】
0004617021.tif 000007